(57)【要約】【課題】  入浴時の浴室への給湯は勿論のこと、浴室以外の場所に給湯するときにも給水配管系の水の温度を上昇させることができ、湯沸器でのエネルギーの消費を抑えることのできる給湯システムを提供する。【解決手段】  給水システムの制御装置は、入浴に関連する情報を取得する入浴情報取得装置が取得した情報を基に入浴中であると判断すると、浴室内の浴槽の下部に接続された排水系を開閉する開閉弁を閉状態で維持する一方、前記入浴情報取得装置が取得した情報を基に入浴中でないと判断するとともに浴室以外の箇所に繋がる経路上での湯の流通の有無を検知する給湯検知装置の検知結果を基に浴室以外の箇所に繋がる経路上での湯の流通があると判断すると開閉弁を開状態にする。【選択図】図１
2013015234.tif 000002
【特許請求の範囲】
【請求項１】
給水源からの水を加熱して高温な湯にする湯沸器と、該湯沸器に接続された給湯配管系と、給水源に接続された給水配管系と、給湯配管系及び給水配管系を接続した混合弁と、浴室を含む複数箇所と前記混合弁とを繋ぐ配管系とを備え、給水配管系の途中位置に浴室の排水口に繋がる排水路を流通する使用済みの温水の熱を回収する排熱回収装置が設けられ、給水配管系からの水に給湯配管系からの高温な湯を混合弁で混合させて適温な湯にして浴室を含む複数箇所に給湯可能に構成された給湯システムにおいて、前記配管系における浴室以外の箇所に繋がる経路上での湯の流通の有無を検知する給湯検知装置と、入浴に関連する情報を取得する入浴情報取得装置と、浴室内の浴槽の下部に接続された排水系を開閉する開閉弁と、給湯検知装置及び入浴情報取得装置の検知結果に基づいて開閉弁を開閉させる制御装置とを備え、前記排水系は、浴槽内に貯められた温水を排水路における排熱回収装置の上流側に排出可能に構成され、制御装置は、入浴情報取得装置が取得した情報を基に入浴中であると判断すると、開閉弁を閉状態で維持する一方、入浴情報取得装置が取得した情報を基に入浴中でないと判断するとともに給湯検知装置の検知結果を基に浴室以外の箇所に繋がる経路上での湯の流通があると判断すると開閉弁を開状態にすることを特徴とする給湯システム。
【請求項２】
前記入浴情報取得装置は、前記配管系における浴室に繋がる経路上での湯の流通の有無を検知する検知センサで構成され、制御装置は、検知センサの検知結果を基に浴室に繋がる経路上での湯の流通があると判断したときに入浴中であると判断し、検知センサの検知結果を基に浴室に繋がる経路上での湯の流通がないと判断したときに入浴中でないと判断するように構成されている請求項１に記載の給湯システム。
【請求項３】
前記入浴情報取得装置は、時間を計測するとともに所定の時間帯を設定可能なタイマーで構成され、制御装置は、タイマーの計測結果を基に所定の時間帯であると判断したときに入浴中であると判断し、タイマーの計測結果を基に所定の時間帯以外の時間帯であると判断したときに入浴中でないと判断するように構成されている請求項１に記載の給湯システム。
【請求項４】
前記入浴情報取得装置は、浴室内の人の有無を検知する人検知センサで構成され、制御装置は、人検知センサの検知結果を基に浴室に人が居ると判断したときに入浴中であると判断し、人検知センサの検知結果を基に浴室に人が居ないと判断したときに入浴中でないと判断するように構成されている請求項１に記載の給湯システム。
【発明の詳細な説明】
【技術分野】
【０００１】
本発明は、浴室や台所等の複数箇所に給湯する給湯システムに関する。
【背景技術】
【０００２】
従来から、浴室や台所等の複数箇所に給湯する給湯システムとして、上水道等の給水源からの水を加熱して高温な湯にする湯沸器と、該湯沸器に接続された給湯配管系と、給水源に接続された給水配管系と、給湯配管系及び給水配管系を接続した混合弁とを備え、給水配管系からの水に給湯配管系からの高温な湯を混合弁で混合させて適温な湯にするように構成されたものが提供されている。
【０００３】
そして、この種の給湯システムは、給水源の水の温度が低い場合、水を加熱するエネルギーの消費量が多くなる上に高温にした湯（加熱した水）の消費量が多くなるとして、排水路を流れる使用済みの温水の熱で給水配管系の水の温度を高めた上で、該水を給湯配管系の湯と混合するようにしたものが提供されている。
【０００４】
すなわち、この種の給湯システムには、給水配管系の途中位置に浴室の排水口に繋がる排水路を流通する使用済みの温水（シャワーやカランからの湯）の熱を回収する排熱回収装置が設けられたものが提供されている（例えば、特許文献１参照）。
【０００５】
かかる給湯システムは、排水路を流通する使用済みの温水と排熱回収装置（給水配管系）を流通する水との間で熱交換させることで、給水配管系内の水を加熱するようになっている。これにより、上記構成の給湯システムは、給水配管系の水の温度を高めた上で、該水を給湯配管系の湯と混合できるため、湯沸器で給水源からの水を必要以上の温度に加熱したり湯沸器から多くの湯を供給したりする必要がなく、湯沸器でのエネルギーの消費を抑えることができるとされている。
【先行技術文献】
【特許文献】
【０００６】
【特許文献１】実用新案登録第３１４９９６８号公報
【発明の概要】
【発明が解決しようとする課題】
【０００７】
ところで、上記給湯システムは、給水配管系の途中に設けられた排熱回収装置で浴室の排水口に繋がる排水路を流通する温水の熱を回収するようにしているため、浴室から使用済みの温水が排水路に排出されていないとき（入浴時以外）に、排熱回収装置による熱回収（水と使用済みの温水との間での熱交換）をすることができない。
【０００８】
そのため、上記構成の給湯システムは、浴室以外の場所（例えば、台所や洗面所）等で湯を使用するときに、給水源からの温度の低い水を湯沸器からの湯と混合することになり、湯沸器で水を加熱するときのエネルギーの消費量が多くなる上に湯沸器で高温にした湯（加熱した水）の消費量が多くなってしまう。
【０００９】
そうすると、浴室での使用済みの温水に対する熱回収と同様に、浴室以外の場所からの使用済みの温水に対する熱回収をすることも考えられるが、浴室以外の場所での湯の使用量は入浴時の湯の使用量（シャワーやカランから排出される湯の量）に比べて非常に少ないため、システムが複雑になる割に節約できるエネルギー量が少なく、現実的ではない。
【００１０】
そこで、本発明は、入浴時の浴室への給湯は勿論のこと、浴室以外の場所に給湯するときにも給水配管系の水の温度を上昇させることができ、湯沸器でのエネルギーの消費を抑えることのできる給湯システムを提供することを課題とする。
【課題を解決するための手段】
【００１１】
本発明に係る給湯システムは、給水源からの水を加熱して高温な湯にする湯沸器と、該湯沸器に接続された給湯配管系と、給水源に接続された給水配管系と、給湯配管系及び給水配管系を接続した混合弁と、浴室を含む複数箇所と前記混合弁とを繋ぐ配管系とを備え、給水配管系の途中位置に浴室の排水口に繋がる排水路を流通する使用済みの温水の熱を回収する排熱回収装置が設けられ、給水配管系からの水に給湯配管系からの高温な湯を混合弁で混合させて適温な湯にして浴室を含む複数箇所に給湯可能に構成された給湯システムにおいて、前記配管系における浴室以外の箇所に繋がる経路上での湯の流通の有無を検知する給湯検知装置と、入浴に関連する情報を取得する入浴情報取得装置と、浴室内の浴槽の下部に接続された排水系を開閉する開閉弁と、給湯検知装置及び入浴情報取得装置の検知結果に基づいて開閉弁を開閉させる制御装置とを備え、前記排水系は、浴槽内に貯められた温水を排水路における排熱回収装置の上流側に排出可能に構成され、制御装置は、入浴情報取得装置が取得した情報を基に入浴中であると判断すると、開閉弁を閉状態で維持する一方、入浴情報取得装置が取得した情報を基に入浴中でないと判断するとともに給湯検知装置の検知結果を基に浴室以外の箇所に繋がる経路上での湯の流通があると判断すると開閉弁を開状態にすることを特徴とする。
【００１２】
ここで、「入浴に関連する情報」とは、浴室内での入浴者の行動に伴って得られる情報や、入浴者が入浴することを意思表示したことによって得られる情報を意味し、例えば、浴室内での人の有無に関する情報や、入浴に伴う給湯の有無（湯の使用の有無）の情報、浴室の排水口からの排水の有無に関する情報、使用者が定めた入浴時間に関する情報等、浴室の電灯や換気扇等のスイッチ操作の有無の情報等を意味する。
【００１３】
上記給湯システムの制御装置は、入浴情報取得装置が取得した情報を基に入浴中であると判断すると、開閉弁を閉状態で維持する一方、入浴情報取得装置が取得した情報を基に入浴中でないと判断するとともに給湯検知装置の検知結果を基に浴室以外の箇所に繋がる経路上での湯の流通があると判断すると開閉弁を開状態にするため、入浴中（浴室に入浴者が居るとき）に浴槽に湯が貯められた状態で維持する一方、入浴中でない（浴室に入浴者が居ない）状態で浴室以外の場所に給湯されるときに、浴槽に貯められた湯が排水路に排出される。
【００１４】
そして、上記構成の給湯システムにおいて、浴室内の浴槽の下部に接続された排水系は、浴槽内に貯められた温水を排水路における排熱回収装置の上流側に排出可能に構成されているため、上述の如く、浴槽から排出路に排出された湯は、排水路の下流側に向けて流れ、排熱回収装置内の水と熱交換することになる。すなわち、浴槽に貯められた湯は、大量にある上に、浴槽の保温効果や追い炊き等による保温効果で比較的長時間の間、熱エネルギーを蓄えた状態であるため、排水路を流れるときに給水配管系（排熱回収装置）を流通する水を加熱することになる。
【００１５】
また、上記構成の給湯システムは、上述の如く、制御装置が入浴中であると判断すると、開閉弁を閉状態で維持するため、浴槽内の湯が排水路に排出されることがないが、シャワーやカランからの温水が排水口から排水路に流れ込むため、当該温水（温排水）が排熱回収装置（給水配管系）を流通する給水源からの水を加熱することになる。
【００１６】
従って、上記給湯システムは、入浴中に浴室に給湯するとき（シャワーやカランで湯を使うとき）や入浴者が居ない状態で浴室以外の場所に給湯するときに、湯沸器で必要以上の水を加熱して多くの湯を供給する必要がなく、湯沸器でのエネルギーの消費を抑えることができる。
【００１７】
本発明の一態様として、前記入浴情報取得装置は、前記配管系における浴室に繋がる経路上での湯の流通の有無を検知する検知センサで構成され、制御装置は、検知センサの検知結果を基に浴室に繋がる経路上での湯の流通があると判断したときに入浴中であると判断し、検知センサの検知結果を基に浴室に繋がる経路上での湯の流通がないと判断したときに入浴中でないと判断するように構成されてもよい。入浴者は入浴中に湯を使用するため、浴室に繋がる経路（浴室のシャワーやカランに繋がる経路）上での湯の流通の有無で入浴中であるか否かを判断することができる。
【００１８】
これに伴い、上記構成の給湯システムは、制御装置が検知センサの検知結果を基に浴室に繋がる経路上での湯の流通があると判断すると、入浴中であるとして、所定時間の間（例えば、入浴時間の間）浴槽内の湯が排出されることを防止し、制御装置が検知センサの検知結果を基に浴室に繋がる経路上での湯の流通がないと判断するとともに給湯検知装置の検知結果を基に浴室以外の箇所に繋がる経路上での湯の流通があると判断すると、浴室に入浴者が居ない（入浴中ではない）状態で浴室以外の場所に給湯する状態であるとして、開閉弁を開状態にして浴槽内の湯を排水路に排出する。
【００１９】
従って、上記給湯システムは、入浴中に浴室に給湯するとき（シャワーやカランで湯を使うとき）や入浴者が居ない状態で浴室以外の場所に給湯するときに、湯沸器で必要以上の水を加熱して多くの湯を供給する必要がなく、湯沸器でのエネルギーの消費を抑えることができる。
【００２０】
本発明の他態様として、前記入浴情報取得装置は、時間を計測するとともに所定の時間帯を設定可能なタイマーで構成され、制御装置は、タイマーの計測結果を基に所定の時間帯であると判断したときに入浴中であると判断し、タイマーの計測結果を基に所定の時間帯以外の時間帯であると判断したときに入浴中でないと判断するように構成されてもよい。一般家庭において、夜間の概ね決まった時間帯に入浴することが多いため、所定の時間帯を入浴中であると推定することができる。
【００２１】
これに伴い、上記構成の給湯システムは、制御装置がタイマーの計測結果を基に所定の時間帯であると判断すると、入浴中であるとして、所定時間の間（例えば、入浴時間の間）浴槽内の湯が排出されることを防止し、制御装置がタイマーの計測結果を基に所定の時間帯以外の時間帯であると判断するとともに給湯検知装置の検知結果を基に浴室以外の箇所に繋がる経路上での湯の流通があると判断すると、浴室に入浴者が居ない（入浴中ではない）状態で浴室以外の場所に給湯する状態であるとして、開閉弁を開状態にして浴槽内の湯を排水路に排出する。
【００２２】
従って、上記給湯システムは、入浴中に浴室に給湯するとき（シャワーやカランで湯を使うとき）や入浴者が居ない状態で浴室以外の場所に給湯するときに、湯沸器で必要以上の水を加熱して多くの湯を供給する必要がなく、湯沸器でのエネルギーの消費を抑えることができる。
【００２３】
本発明の別の態様として、前記入浴情報取得装置は、浴室内の人の有無を検知する人検知センサで構成され、制御装置は、人検知センサの検知結果を基に浴室に人が居ると判断したときに入浴中であると判断し、人検知センサの検知結果を基に浴室に人が居ないと判断したときに入浴中でないと判断するように構成されてもよい。
【００２４】
上記構成の給湯システムは、制御装置が人検知センサの検知結果を基に浴室に人が居ると判断すると、入浴中（入浴の時間帯）であるとして、浴槽内の湯が排出されることを防止し、制御装置が人検知センサの検知結果を基に浴室に人が居ないと判断するとともに第一検知装置の検知結果を基に浴室以外の箇所に繋がる経路上での湯の流通があると判断すると、浴室に入浴者が居ない（入浴中ではない）状態で浴室以外の場所に給湯する状態であるとして、開閉弁を開状態にして浴槽内の湯を排水路に排出する。
【００２５】
従って、上記給湯システムは、入浴中に浴室に給湯するとき（シャワーやカランで湯を使うとき）や入浴者が居ない状態で浴室以外の場所に給湯するときに、湯沸器で必要以上の水を加熱して多くの湯を供給する必要がなく、湯沸器でのエネルギーの消費を抑えることができる。
【発明の効果】
【００２６】
以上のように、本発明に係る給湯システムは、入浴時の浴室への給湯は勿論のこと、浴室以外の場所に給湯するときにも給水配管系の水の温度を上昇させることができ、湯沸器でのエネルギーの消費を抑えることができるという優れた効果を奏し得る。
【図面の簡単な説明】
【００２７】
【図１】図１は、本発明の一実施形態に係る給湯システムの概略系統図を示す。
【図２】図２は、同実施形態に係る排熱回収装置の全体斜視図を示す。
【図３】図３は、同実施形態に係る排熱回収装置を構成する第一熱回収体及び第二熱回収体の斜視図であって、（ａ）は、第一熱回収体の斜視図を示し、（ｂ）は、第二熱回収体の斜視図を示す。
【図４】図４は、同実施形態に係る排熱回収装置（第一熱回収体及び第二熱回収体）の概略横断面図であって、（ａ）は、第一熱回収体の水の流れを含む横断面図を示し、（ｂ）は、第二熱回収体の水の流れを含む横断面図を示す。
【図５】図５は、同実施形態に係る排熱回収装置の概略縦断面図であって、排水路内に設置した状態の縦断面図を示す。
【図６】図６は、本発明の他実施形態に係る給湯システムの概略系統図を示す。
【図７】図７は、本発明の別の実施形態に係る給湯システムの概略系統図を示す。
【図８】図８は、本発明のさらに別の実施形態に係る給湯システムの排熱回収装置の全体斜視図を示す。
【図９】図９は、図８に示す排熱回収装置を排水路内に設置した状態の断面図であって、（ａ）は、横断面図を示し、（ｂ）は、縦断面図を示す。
【発明を実施するための形態】
【００２８】
以下、本発明の第一実施形態に係る給湯システムについて、添付図面を参照して説明する。
【００２９】
本実施形態に係る給湯システムは、図１に示す如く、浴槽ＢＴを備えた浴室ＢＲを設置することを前提としたもので、上水道等の給水源からの水を加熱して高温な湯にする湯沸器２と、該湯沸器２に接続された給湯配管系３と、給水源に接続された給水配管系４と、給湯配管系３及び給水配管系４を接続した混合弁５と、浴室ＢＲを含む複数箇所と前記混合弁５とを繋ぐ配管系６とを備えている。
【００３０】
前記湯沸器２は、給水源に繋がる配管が接続されており、常温の水が供給されるようになっている。なお、図１に示す概略系統図では、前記給水配管系４を分岐させた配管を湯沸器２に接続している。そして、湯沸器２は、供給された水を加熱して高温な湯にするようになっている。すなわち、湯沸器２は、給水源から供給される水を流通させつつ連続的に加熱する連続式のものや、給水源から供給される水を貯留して加熱する貯湯式のものが採用される。
【００３１】
前記湯沸器２は、浴室ＢＲや、台所、洗面所等の設置された止水栓（採番しない）が開栓されると、加熱された水（高温になった湯）を混合弁５に向けて順次送り出すように構成されている。
【００３２】
前記給水配管系４は、給水源と混合弁５とを流体的に接続している。そして、該給水配管系４は、途中位置に浴室ＢＲの排水口Ｄに繋がる排水路ＤＲを流通する使用済みの温水の熱を回収する排熱回収装置４２が設けられている。すなわち、前記給水配管系４は、給水源に繋がる一次側給水配管４０と、混合弁５に繋がる二次側給水配管４１と、一次側給水配管４０と二次側給水配管４１との間に介設され、浴室ＢＲの排水口Ｄに繋がる排水路ＤＲ内に設置される排熱回収装置４２とを備えている。
【００３３】
そして、前記排水路ＤＲにおける排熱回収装置４２を設置する領域の天部は、着脱可能な蓋Ｃで構成されており、該蓋Ｃを取り外すことで排水路ＤＲ内に設置された排熱回収装置４２に対してアクセスできるようになっている。なお、図１において、蓋Ｃを含む排水路ＤＲ全体が浴槽ＢＴの下方に配置されているが、実際には、排水路ＤＲの少なくとも排熱回収装置４２が設置される領域（蓋Ｃを含む領域）は、浴槽ＢＴに対して横方向にずれた位置（上方に浴槽ＢＴのない位置）に配置され、蓋Ｃの着脱を上方から行えるようになっている。
【００３４】
本実施形態に係る排熱回収装置４２は、図２に示す如く、給水源からの水を流通可能に構成された第一熱回収体４３と、該第一熱回収体４３と同様に、給水源からの水を流通可能に構成された第二熱回収体４４とを備えている。
【００３５】
前記第一熱回収体４３は、図２及び図３（ａ）に示す如く、所定の間隔をあけて配置された複数の第一伝熱カセット４３０…と、隣り合う第一伝熱カセット４３０…同士を連結する連結部４３１ａ，４３１ｂとを備えている。第一伝熱カセット４３０…のそれぞれは、重ね合わされた四角形状をなす一対の伝熱プレートＰ，Ｐの外周同士が液密に封着されて形成されており、伝熱プレートＰ，Ｐ間（内部）に水を流通させる内部流路４３０ａ（図４（ａ）及び図５参照）が形成されている。そして、複数の第一伝熱カセット４３０…は、それぞれ起立した状態で配置されている。すなわち、各第一伝熱カセット４３０…は、伝熱プレートＰ，Ｐの外郭を構成する四辺のうちの対向する二辺が上下方向に伸びるように配置され、隣り合う相手方の第一伝熱カセット４３０…（伝熱プレートＰ，Ｐ）と面対向させている。
【００３６】
前記連結部４３１ａ，４３１ｂは、図４（ａ）に示す如く、筒状に形成されており、隣り合う第一伝熱カセット４３０…間に介設された状態で両方の第一伝熱カセット４３０，４３０の内部流路４３０ａ，４３０ａ同士を連通させている。
【００３７】
そして、該第一熱回収体４３は、第一伝熱カセット４３０の内部流路４３０ａでの水の流通方向が第一伝熱カセット４３０…毎に方向が切り替わるように連結部４３１ａ，４３１ｂが配置されている。より具体的には、本実施形態に係る第一熱回収体４３は、第一伝熱カセット４３０…の幅方向の一端同士を連結する第一連結部４３１ａと、第一伝熱カセット４３０…の幅方向の他端同士を連結する第二連結部４３１ｂとを備えており、前記第一連結部４３１ａ及び第二連結部４３１ｂが第一伝熱カセット４３０…の並列方向で交互に配置されて隣り合う第一伝熱カセット４３０…同士を連結している。
【００３８】
本実施形態に係る第一熱回収体４３の連結部４３１ａ，４３１ｂ（第一連結部４３１ａ及び第二連結部４３１ｂ）は、図２及び図３（ａ）に示す如く、第一伝熱カセット４３０…の上端部同士を連結している。すなわち、第一連結部４３１ａは、隣り合う第一伝熱カセット４３０…の幅方向の一端側の上端部同士を連結し、第二連結部４３１ｂは、隣り合う第一伝熱カセット４３０…の幅方向の他端側の上端部同士を連結している。これにより、第一熱回収体４３は、図４（ａ）に示す如く、水の流通方向が幅方向の一端側から他端側に向く第一伝熱カセット４３０…と、水の流通方向が幅方向の他端側から一端側に向く第一伝熱カセット４３０…とが交互に配置されている。
【００３９】
そして、複数の第一伝熱カセット４３０…のうち、並列方向の一端にある第一伝熱カセット４３０は、一次側給水配管４０が接続され、並列方向の他端にある第一伝熱カセット４３０は、二次側給水配管４１が接続されている。これにより、第一熱回収体４３は、並列方向の一端側にある第一伝熱カセット４３０…から並列方向の他端側にある第一伝熱カセット４３０…に向けて各第一伝熱カセット４３０…の内部流路４３０ａで流通方向を変更させながら水を流通させることができるようになっている。
【００４０】
前記第二熱回収体４４は、図２及び図３（ｂ）に示す如く、所定の間隔をあけて配置された複数の第二伝熱カセット４４０…と、隣り合う第二伝熱カセット４４０…同士を連結する連結部４４１ａ，４４１ｂとを備えている。第二伝熱カセット４４０…のそれぞれは、重ね合わされた四角形状をなす一対の伝熱プレートＰ，Ｐの外周同士が液密に封着されて形成されており、伝熱プレートＰ，Ｐ間（内部）に水を流通させる内部流路４４０ａ（図４（ｂ）及び図５参照）が形成されている。そして、複数の第二伝熱カセット４４０…は、それぞれ起立した状態で配置されている。すなわち、各第二伝熱カセット４４０…は、伝熱プレートＰ，Ｐの外郭を構成する四辺のうちの対向する二辺が上下方向に伸びるように配置され、隣り合う相手方の第二伝熱カセット４４０…（伝熱プレートＰ，Ｐ）と面対向させている。
【００４１】
前記連結部４４１ａ，４４１ｂは、図４（ｂ）に示す如く、筒状に形成されており、隣り合う第二伝熱カセット４４０…間に介設された状態で両方の第二伝熱カセット４４０，４４０の内部流路４４０ａ，４４０ａ同士を連通させている。
【００４２】
そして、該第二熱回収体４４は、伝熱カセットの流路内での水の流通方向が第二伝熱カセット４４０…毎に方向が切り替わるように連結部４４１ａ，４４１ｂが配置されている。より具体的には、本実施形態に係る第二熱回収体４４は、第二伝熱カセット４４０…の幅方向の一端同士を連結する第三連結部４４１ａと、第二伝熱カセット４４０…の幅方向の他端同士を連結する第四連結部４４１ｂとを備えており、前記第三連結部４４１ａ及び第四連結部４４１ｂが第二伝熱カセット４４０…の並列方向で交互に配置されて隣り合う第二伝熱カセット４４０…同士を連結している。
【００４３】
本実施形態に係る第二熱回収体４４の連結部４４１ａ，４４１ｂ（第三連結部４４１ａ及び第四連結部４４１ｂ）は、図２及び図３（ｂ）に示す如く、第二伝熱カセット４４０…の下端部同士を連結している。すなわち、第三連結部４４１ａは、隣り合う第二伝熱カセット４４０…の幅方向の一端側の下端部同士を連結し、第四連結部４４１ｂは、隣り合う第二伝熱カセット４４０…の幅方向の他端側の下端部同士を連結している。これにより、第二熱回収体４４は、図４（ｂ）に示す如く、水の流通方向が幅方向の一端側から他端側に向く第二伝熱カセット４４０…と、水の流通方向が幅方向の他端側から一端側に向く第二伝熱カセット４４０…とが交互に配置されている。
【００４４】
そして、複数の第二伝熱カセット４４０…のうち、並列方向の一端にある第二伝熱カセット４４０は、一次側給水配管４０が接続され、並列方向の他端にある第二伝熱カセット４４０は、二次側給水配管４１が接続されている。これにより、第二熱回収体４４は、並列方向の一端側にある第二伝熱カセット４４０…から並列方向の他端側にある第二伝熱カセット４４０…に向けて各第二伝熱カセット４４０…の内部流路４４０ａで流通方向を変更させながら水を流通させることができるようになっている。なお、本実施形態に係る一次側給水配管４０及び二次側給水配管４１のそれぞれは、排熱回収装置４２の近傍で二股に分岐されており、第一熱回収体４３（第一伝熱カセット４３０）及び第二熱回収体４４（第二伝熱カセット４４０）に接続されている。
【００４５】
本実施形態に係る排熱回収装置４２は、図２及び図５に示す如く、第二伝熱カセット４４０…間に第一伝熱カセット４３０…が介装されるように、排水路ＤＲ内に設置された第二熱回収体４４に第一熱回収体４３が重ね合わされることで形成されている。これにより、本実施形態に係る排熱回収装置４２は、第一伝熱カセット４３０…と第二伝熱カセット４４０…との間に排水が流通可能な隙間（流路）が形成されている。
【００４６】
また、本実施形態に係る排熱回収装置４２は、第二伝熱カセット４４０…の下端同士が連結部４４１ａ，４４１ｂによって連結される一方、第一伝熱カセット４３０…の上端部同士が連結部４４１ａ，４４１ｂによって連結されているため、第一熱回収体４３及び第二熱回収体４４は、上下方向にずれた状態で配置されている。すなわち、本実施形態に係る排熱回収装置４２は、第二伝熱カセット４４０…が排水路ＤＲの底に載置される一方で、第一伝熱カセット４３０…が排水路ＤＲの底から上方側に離間した状態で配置されている。
【００４７】
これにより、本実施形態に係る排熱回収装置４２（第一熱回収体４３の第一伝熱カセット４３０…及び第二熱回収体４４の第二伝熱カセット４４０…）は、排水路ＤＲの上流側から下流側に向けて上下方向に蛇行した流路を形成している。これにより、本実施形態に係る給湯システム１は、排水路ＤＲ内で流れる温排水と排熱回収装置４２（第一熱回収体４３及び第二熱回収体４４）の内部流路４４０ａを流通する水とを熱交換させ、該水の温度を高めることができるようになっている。
【００４８】
そして、本実施形態に係る排熱回収装置４２は、上述の如く、第二熱回収体４４に対して上方側から第一熱回収体４３を組み合わせることで形成されているため、第一熱回収体４３を引き上げて第二熱回収体４４と分離できるようになっている。これにより、該排熱回収装置４２は、第一熱回収体４３（第一伝熱カセット４３０…）及び第二熱回収体４４（第二伝熱カセット４４０…）を分離することで、第一伝熱カセット４３０…間に第二伝熱カセット４４０…が存在しなくなるとともに第二伝熱カセット４４０…間に第一伝熱カセット４３０…が存在しなくなるため、第一伝熱カセット４３０…間及び第二伝熱カセット４４０…間に清掃具（ブラシ）等を挿入し易い状態になる。
【００４９】
従って、第一熱回収体４３（第一伝熱カセット４３０…）及び第二熱回収体４４（第二伝熱カセット４４０…）に温排水に含まれる石けん類や油分がスケールとして付着したときに清掃を容易に行うことができる。
【００５０】
図１に戻り、本実施形態に係る給湯配管系３は、湯沸器２と混合弁５とを接続した配管である。前記混合弁５は、いわゆる三方弁で構成されている。
【００５１】
そして、本実施形態に係る給湯システム１は、前記配管系６における浴室ＢＲ以外の箇所（台所や洗面所）に繋がる経路（後述する第二配管）６２上での湯の流通の有無を検知する給湯検知装置７と、入浴に関連する情報を取得する入浴情報取得装置８と、浴室ＢＲ内の浴槽ＢＴの下部に接続された排水系ＤＰを開閉する開閉弁９と、給湯検知装置７及び入浴情報取得装置８の検知結果に基づいて開閉弁９を開閉させる制御装置１０とを備えている。
【００５２】
本実施形態に係る配管系６は、上述の如く、浴室ＢＲを含む複数箇所に給湯可能に構成されている。すなわち、配管系６は、混合弁５に接続される主配管６０と、該主配管６０に接続された分岐継手（採番しない）と、分岐継手と浴室ＢＲとを繋ぐ第一配管６１と、分岐継手と浴室ＢＲ以外の箇所とを繋ぐ第二配管６２とを備えている。なお、第二配管６２は、途中で分岐されて台所や洗面所等に繋がっている。
【００５３】
本実施形態に係る給湯検知装置７は、流量センサで構成されており、第二配管６２上に設けられている。これにより、給湯検知装置７（流量センサ）は、浴室ＢＲ以外の箇所に給湯するときに第二配管６２（経路）上で湯の流通の有無を検知できるようになっている。
【００５４】
本実施形態に係る入浴情報取得装置８は、流体の流通に伴ってＯＮ信号を出力するフロースイッチで構成されており、第一配管６１上に設けられている。これにより、入浴情報取得装置８（フロースイッチ）は、浴室ＢＲに給湯するときに第一配管６１（経路）上で湯の流通の有無を検知し、湯の流通がある状態でＯＮ信号を出すようになっている。
【００５５】
前記排水系ＤＰは、浴槽ＢＴ内に貯められた温水を排水路ＤＲにおける排熱回収装置４２の上流側に排出可能に構成されている。前記開閉弁９は、駆動源を備えた弁体で構成される。本実施形態に係る開閉弁９は、電動ボール弁で構成されており、制御装置１０の指示で開閉するようになっている。
【００５６】
前記制御装置１０は、ＣＰＵ等を含む制御基板で構成されている。そして、該制御装置１０は、入浴情報取得装置８が取得した情報を基に入浴中であると判断すると、開閉弁９を閉状態で維持する一方、入浴情報取得装置８が取得した情報を基に入浴中でないと判断するとともに給湯検知装置７の検知結果を基に浴室ＢＲ以外の箇所に繋がる経路上での湯の流通があると判断すると開閉弁９を開状態にするように構成されている。
【００５７】
本実施形態において、前記入浴情報取得装置８は、上述の如く、前記配管系６における浴室ＢＲに繋がる経路（第一配管６１）上での湯の流通の有無を検知する検知センサ（フローセンサ）で構成されているため、制御装置１０は、検知センサ８の検知結果を基に浴室ＢＲに繋がる経路上での湯の流通があると判断したときに入浴中であると判断し、検知センサ８の検知結果を基に浴室ＢＲに繋がる経路上での湯の流通がないと判断したときに入浴中でないと判断するように構成されている。
【００５８】
すなわち、入浴者は入浴中に浴室ＢＲのシャワーやカランで湯を使用するため、浴室ＢＲに繋がる経路（第一配管）６１上での湯の流通の有無で入浴中であるか否かが判ることから、本実施形態に係る給湯システム１は、制御装置１０が検知センサ８の検知結果を基に浴室ＢＲに繋がる経路（第一配管）６１上での湯の流通があると判断すると、入浴中であるとして、所定時間の間（例えば、入浴時間の間）浴槽ＢＴ内の湯が排出されることを防止し、制御装置１０が検知センサ８の検知結果を基に浴室ＢＲに繋がる経路（第一配管）６１上での湯の流通がないと判断するとともに給湯検知装置７の検知結果を基に浴室ＢＲ以外の箇所に繋がる経路（第二配管）６２上での湯の流通があると判断すると、浴室ＢＲに入浴者が居ない（入浴中ではない）状態で浴室ＢＲ以外の場所に給湯する状態であるとして、開閉弁９を開状態にするように構成されている。
【００５９】
本実施形態に係る給湯システム１は、以上の通りであり、続いて、該給湯システム１の作動について説明する。
【００６０】
上記給湯システム１は、制御装置１０が入浴情報取得装置８の取得した情報を基に入浴中であると判断すると、開閉弁９を閉状態で維持する。本実施形態において、前記入浴情報取得装置８は、フローセンサで構成されているため、前記制御装置１０は、浴室ＢＲ内でのシャワーやカランでの湯の使用によって配管系６（第一配管６１）内で流通する湯をフローセンサ８が検知してＯＮになると、その検知結果（フロースイッチのＯＮ信号）を基に入浴中であると判断し、所定時間の間（入浴時間の間）、開閉弁９を閉状態で維持することになる。これにより、上記給湯システム１は、入浴中に浴槽ＢＴ内の湯が排出されることが防止される。
【００６１】
この状態で、浴槽ＢＴの湯は排出されないが、入浴中のシャワーやカランでの湯の使用により、使用済みの温水（湯）が排水口Ｄから排水路ＤＲに流れ込む。そして、排水路ＤＲ内で下流に流れる温水（湯）が排熱回収装置４２内の流路（第一伝熱カセット４３０…と第二伝熱カセット４４０…との間）を通過するに伴い、排熱回収装置４２の内部流路４３０ａ（第一伝熱カセット４３０…及び第二伝熱カセット４４０…の内部流路４３０ａ，４４０ａ）を流通する水と熱交換することになる。これにより、排熱回収装置４２の内部流路４３０ａ，４４０ａを流通する水は、常温から加熱された状態で混合弁５に向けて流れ、給湯配管系３を流通する高温な湯と混合弁５で混合された上で浴室ＢＲに供給される。
【００６２】
そして、前記制御装置１０は、浴室ＢＲ内でのシャワーやカランでの湯の使用がなく、配管系６（第一配管６１）内で流通する湯をフローセンサ８が検知していない（フロースイッチがＯＦＦである）と、入浴中ではない（浴室ＢＲに人がいない）と判断する。
【００６３】
そして、前記制御装置１０は、入浴中でないと判断している状態で、給湯検知装置７の検知結果を基に浴室ＢＲ以外の箇所に繋がる経路（第二配管）６２上での湯の流通があると判断すると開閉弁９を開状態にする。すなわち、該給湯システム１は、制御装置１０が入浴中でないと判断している状態で、台所や洗面所での止水栓が開栓されて配管系６の第二配管６２に湯が流通すると該湯を給湯検知装置７（流量センサ）が検知し、制御装置１０が給湯検知装置７の検知結果を基に浴室ＢＲ以外の箇所に繋がる経路（第二配管）６２上での湯の流通があると判断すると開閉弁９を開状態にする。
【００６４】
この状態で、浴槽ＢＴの湯（使用済みの温水）は、排水系ＤＰを介して排水路ＤＲに流れ込む。浴槽ＢＴに貯められていた湯は、大量にある上に、浴槽ＢＴ自身が備える保温効果等で比較的長時間の間、熱エネルギーを蓄えた状態であるため、排水路ＤＲに排出された使用済みの温水（湯）は、排熱回収装置４２内の流路（第一伝熱カセット４３０…と第二伝熱カセット４４０…との間）を通過するに伴い、排熱回収装置４２の内部流路４３０ａ（第一伝熱カセット４３０…及び第二伝熱カセット４４０…の内部流路４３０ａ，４４０ａ）を流通する水と熱交換することになる。これにより、排熱回収装置４２の内部流路４３０ａ，４４０ａを流通する水は、常温よりも高い温度に加熱された状態で混合弁５に向けて流れ、給湯配管系３を流通する高温な湯と混合弁５で混合された上で台所や洗面所等の浴室ＢＲ以外の場所に供給される。
【００６５】
このように、上記給湯システム１は、入浴中に浴室ＢＲに給湯するとき（シャワーやカランで湯を使うとき）や入浴者が居ない状態で浴室ＢＲ以外の場所に給湯するときに、使用済みの湯の熱を利用して給水源からの水を加熱できるため、湯沸器２で必要以上の水を加熱して多くの湯を供給する必要がなく、湯沸器２でのエネルギーの消費を抑えることができる。
【００６６】
なお、本発明は、上記実施形態に限定されるものではなく、本発明の要旨を逸脱しない範囲で適宜変更を加え得ることは勿論のことである。
【００６７】
上記実施形態に係る入浴情報取得装置８は、前記配管系６における浴室ＢＲに繋がる経路上での湯の流通の有無を検知する検知センサ（フローセンサ）で構成され、制御装置１０は、検知センサ８の検知結果を基に浴室ＢＲに繋がる経路（第一配管）６１上での湯の流通があると判断したときに入浴中であると判断し、検知センサ８の検知結果を基に浴室ＢＲに繋がる経路（第一配管）６１上での湯の流通がないと判断したときに入浴中でないと判断するように構成されたが、これに限定されるものではない。
【００６８】
例えば、一般家庭では夜間の概ね決まった時間帯に入浴することが多く、所定の時間帯を入浴中であると推定することができるため、図６に示す如く、前記入浴情報取得装置８は、時間を計測するとともに所定の時間帯を設定可能なタイマーで構成されてもよい。この場合、制御装置１０は、タイマーの計測結果を基に所定の時間帯であると判断したときに入浴中であると判断し、タイマーの計測結果を基に所定の時間帯以外の時間帯であると判断したときに入浴中でないと判断するように構成すればよい。
【００６９】
かかる給湯システム１は、制御装置１０がタイマーの計測結果を基に所定の時間帯であると判断すると、入浴中であるとして、所定時間の間（例えば、入浴時間の間）浴槽ＢＴ内の湯が排出されることを防止し、制御装置１０がタイマーの計測結果を基に所定の時間帯以外の時間帯であると判断するとともに給湯検知装置７の検知結果を基に浴室ＢＲ以外の箇所に繋がる経路上での湯の流通があると判断すると、浴室ＢＲに入浴者が居ない（入浴中ではない）状態で浴室ＢＲ以外の場所に給湯する状態であるとして、開閉弁９を開状態にして浴槽ＢＴ内の湯を排水路ＤＲに排出することになる。
【００７０】
従って、上記構成の給湯システム１は、上記実施形態と同様に、入浴中に浴室ＢＲに給湯するとき（シャワーやカランで湯を使うとき）や入浴者が居ない状態で浴室ＢＲ以外の場所に給湯するときに、湯沸器２で必要以上の水を加熱して多くの湯を供給する必要がなく、湯沸器２でのエネルギーの消費を抑えることができる。
【００７１】
また、前記入浴情報取得装置８は、図７に示す如く、浴室ＢＲ内の人の有無を検知する人検知センサ（人感センサ）で構成されてもよい。この場合、制御装置１０は、人検知センサ８の検知結果を基に浴室ＢＲに人が居ると判断したときに入浴中であると判断し、人検知センサ８の検知結果を基に浴室ＢＲに人が居ないと判断したときに入浴中でないと判断するように構成すればよい。
【００７２】
上記構成の給湯システム１は、制御装置１０が人検知センサ８の検知結果を基に浴室ＢＲに人が居ると判断すると、入浴中（入浴の時間帯）であるとして、浴槽ＢＴ内の湯が排出されることを防止し、制御装置１０が人検知センサ８の検知結果を基に浴室ＢＲに人が居ないと判断するとともに第一検知装置の検知結果を基に浴室ＢＲ以外の箇所に繋がる経路上での湯の流通があると判断すると、浴室ＢＲに入浴者が居ない（入浴中ではない）状態で浴室ＢＲ以外の場所に給湯する状態であるとして、開閉弁９を開状態にして浴槽ＢＴ内の湯を排水路ＤＲに排出する。
【００７３】
従って、上記給湯システム１においても、入浴中に浴室ＢＲに給湯するとき（シャワーやカランで湯を使うとき）や入浴者が居ない状態で浴室ＢＲ以外の場所に給湯するときに、湯沸器２で必要以上の水を加熱して多くの湯を供給する必要がなく、湯沸器２でのエネルギーの消費を抑えることができる。
【００７４】
また、入浴情報取得装置８は、入浴に関連する情報として、上記以外の情報を取得するものであってもよい。すなわち、「入浴に関連する情報」は、浴室内での入浴者の行動に伴って得られる情報や、入浴者が入浴することを意思表示したことによって得られる情報であってもよく、例えば、浴室内での人の有無に関する情報（人感知センサによって得られる情報）や、入浴に伴う給湯の有無（湯の使用の有無）の情報（フロースイッチや流量センサによって得られる情報）、浴室ＢＲの排水口Ｄからの排水の有無に関する情報（フロースイッチや流量センサによって得られる情報）、使用者が定めた入浴時間に関する情報等、浴室の電灯や換気扇等のスイッチ操作の有無の情報（スイッチから得られる信号）、入浴者が入浴中であることを意思表示するためのスイッチ操作による情報等であってもよい。
【００７５】
上記実施形態に係る排熱回収装置４２は、複数の第一伝熱カセット４３０…を流体的に連結した第一熱回収体４３と、複数の第二伝熱カセット４４０…を流体的に連結した第二熱回収体４４とを組み合わせて構成されたが、これに限定されるものではない。例えば、排熱回収装置４２は、図８に示す如く、上下方向に重ね合わされた複数の管体４５…と、上下方向に起立した状態で配置され、前記複数の管体４５…の一端部が流体的に接続された一次側接続管４６と、上下方向に起立した状態で配置され、前記複数の管体４５…の他端部が流体的に接続された二次側接続管４７とを備えたものであってもよい。
【００７６】
この場合、複数の管体４５…のそれぞれは、平面視蛇行形状に形成されることが好ましい。すなわち、複数の管体４５…のそれぞれは、排水路ＤＲでの排水の流通方向に間隔をあけて配置された複数の直線部４５０…と、隣り合う直線部４５０…の一端部同士を接続した第一ターン部４５１…と、隣り合う直線部４５０…の他端部同士を接続した第二ターン部４５２…とを備え、直線部４５０…、第一ターン部４５１…、直線部４５０…、及び第二ターン部４５２…の順で繋がったものであることが好ましい。
【００７７】
そして、複数の管体４５…は、同形で且つ同サイズに設定され、上下方向で全長に亘って完全又は略完全に重なった状態で重ね合わされることが好ましい。この場合、排水路ＤＲには、図９（ａ）及び図９（ｂ）に示す如く、直線部４５０…間に邪魔板Ｐａ，Ｐｂを立設することが好ましい。すなわち、第一ターン部４５１…を介して接続された直線部４５０…間に、互いに対向して排水路ＤＲを画定する一対の壁面Ｗａ，Ｗｂのうちの一方の壁面Ｗａから第一ターン部４５１…に向けて延びる第一邪魔板Ｐａを配置するとともに、第二ターン部４５２…を介して接続された直線部４５０…間に、前記一対の壁面Ｗａ，Ｗｂのうちの他方の壁面Ｗｂから第二ターン部４５２…に向けて延びる第二邪魔板Ｐｂを配置することが好ましい。
【００７８】
このようにすれば、排水路ＤＲの排熱回収装置４２の配置された領域で、排水（使用済みの温水）の流路が管体４５…に沿った蛇行流路になり、排熱回収装置４２（管体４５…）内の水と排水路ＤＲを流通する排温水とが熱交換できる区間が長くなる上に、管体４５内の水と排水路ＤＲを流通する使用済みの温水とが完全対向流となるため、効果的に給水源からの水を加熱することができる。また、第一邪魔板Ｐａ及び第二邪魔板Ｐｂを設けることで、蛇行流路の流路幅が排水路ＤＲの流路幅よりも狭くなる結果、温水の流速が早くなり、給水源からの水との熱交換効率を高めることができる。これにより、上記構成の排熱回収装置４２は、給水源からの水を効率的に加熱することができる。
【００７９】
上記実施形態において、制御装置１０を独立した構成として説明したが、これに限定されるものではなく、例えば、湯沸器２に内装される制御基板に上記機能を持たせ、該制御基板を当該給湯システム１の制御装置１０としてもよい。
【符号の説明】
【００８０】
１…給湯システム、２…湯沸器、３…給湯配管系、４…給水配管系、５…混合弁、６…配管系、７…給湯検知装置、８…入浴情報取得装置（検知センサ：フロースイッチ）、８ａ…入浴情報取得装置（タイマー）、８ｂ…入浴情報取得装置（人検知センサ）、９…開閉弁、１０…制御装置、４０…一次側給水配管、４１…二次側給水配管、４２…排熱回収装置、４３…第一熱回収体、４４…第二熱回収体、６０…主配管、６１…第一配管、６２…第二配管、４３０…第一伝熱カセット、４３０ａ…内部流路、４３１ａ…連結部（第一連結部）、４３１ｂ…連結部（第二連結部）、４４０…第二伝熱カセット、４４０ａ…内部流路、４４１ａ…連結部（第三連結部）、４４１ｂ…連結部（第四連結部）、ＢＲ…浴室、ＢＴ…浴槽、Ｃ…蓋、ＤＰ…排水系、ＤＲ…排水路、Ｐ…伝熱プレート
【図１】
2013015234.tif 000003
【図２】
2013015234.tif 000004
【図３】
2013015234.tif 000005
【図４】
2013015234.tif 000006
【図５】
2013015234.tif 000007
【図６】
2013015234.tif 000008
【図７】
2013015234.tif 000009
【図８】
2013015234.tif 000010
【図９】
2013015234.tif 000011